(57)【要約】本発明は、ペースト物質吐出装置を開示する。本発明の吐出装置は、外部吐出が可能であるように、１種以上のペースト物質を独立的に格納するための格納手段と、格納手段と分離可能に結合され、格納手段に格納されたペースト物質を押し出すためのプッシング手段とを含む。格納手段は、内部にペースト物質を独立的に格納するための独立した格納空間が形成され、格納空間の前後にペースト物質が吐出される吐出口とペースト物質を注入する注入口が形成される。これによって、歯磨きなどのペースト物質を容易に吐出することができる。また、吐出装置のペースト物質が排出される部分に連結器を結合して使用することができる長所もある。【選択図】図１
2007528326.tif 000002
【特許請求の範囲】
【請求項１】
外部吐出が可能であるように、１以上のペースト物質を独立的に格納するための格納手段と、
前記格納手段と分離可能に結合され、前記格納手段に格納された前記ペースト物質を押し出すためのプッシング手段と、
を含むことを特徴とするペースト物質吐出装置。
【請求項２】
前記格納手段は、内部に前記ペースト物質を独立的に格納するための独立した格納空間が形成され、前記格納空間の一端には前記ペースト物質が吐出される第１吐出口が形成されており、前記格納空間の他端には前記ペースト物質が注入される第１注入口が形成され、
前記プッシング手段は、前記格納空間が形成された前記格納手段の内周壁の全体と気密を維持するように接触するプッシング部材を含むことを特徴とする請求項１記載のペースト物質吐出装置。
【請求項３】
ペースト物質の外部吐出が可能であるように、１以上の格納容器を独立的に格納するための独立した格納空間であって、前記格納空間の一端には前記ペースト物質が吐出される第２吐出口が形成されており、前記格納空間の他端には前記格納容器が挿入される第２挿入口が形成された格納空間を含む格納手段と、
前記格納手段と分離可能に結合され、前記格納容器内の前記ペースト物質を押し出すためのプッシング手段と、
を含むことを特徴とするペースト物質吐出装置。
【請求項４】
前記吐出装置は、独立的に吐出される前記ペースト物質を１つに混合して同時に吐出するために１つの第３吐出口を有する混合吐出手段を更に含むことを特徴とする請求項１乃至３のうち、いずれか１項記載のペースト物質吐出装置。
【請求項５】
前記格納手段と前記混合吐出手段は、分離可能に結合されるように、前記格納手段の一端の外周面に結合突起が形成され、前記混合吐出手段の内周面に前記結合突起と対応する結合溝が形成されることを特徴とする請求項４記載のペースト物質吐出装置。
【請求項６】
前記プッシング手段は、前記ペースト物質を押し出すための斥力を発生するための駆動手段を備えることを特徴とする請求項１乃至３のうち、いずれか１項記載のペースト物質吐出装置。
【請求項７】
前記プッシング手段は、前記独立した格納空間と対応する数のプッシュバーを備え、前記プッシュバーには長手方向に所定長さの第１歯が形成されることを特徴とする請求項６記載のペースト物質吐出装置。
【請求項８】
前記プッシュバーに形成された前記第１歯は台形断面を有することを特徴とする請求項７記載のペースト物質吐出装置。
【請求項９】
前記駆動手段は、
第１回転軸と、
前記第１回転軸を貫通して固定されるように結合され、外力により回転する回転輪と、
前記第１回転軸を貫通して前記回転輪の両面に固定されるように結合され、その外周面に前記プッシュバーに形成された前記第１歯と対応する第２歯が形成されて前記プッシュバーと噛み合う多数の第１ギアを含むことを特徴とする請求項６記載のペースト物質吐出装置。
【請求項１０】
前記回転輪の外周面には多数の滑り防止突起が形成されることを特徴とする請求項９記載のペースト物質吐出装置。
【請求項１１】
前記駆動手段は、
第２回転軸と、
前記第２回転軸を貫通して固定されるように結合され、その外周面に第３歯が形成される第２ギアと、
前記第２回転軸を貫通して前記第２ギアの両面に固定されるように結合され、その外周面に前記プッシュバーに形成された前記第１歯と対応する第４歯が形成されて、前記プッシュバーと噛み合う多数の第３ギアと、
前記第２回転軸と所定の間隔を置いて配置される第３回転軸と、
前記第３回転軸を貫通して固定されるように結合され、その外周面に前記第２ギアに形成された前記第３歯と対応する第５歯が形成されて、前記第２ギアと噛み合う第４ギアと、
その外周面に前記第４ギアに形成された前記第５歯と対応する第６歯が形成されて、前記第４ギアと噛み合う第５ギアと、
前記第５ギアの中心に軸方向に固定されるように結合されるモータ軸を備えた駆動モータと、
を含むことを特徴とする請求項６記載のペースト物質吐出装置。
【請求項１２】
前記第２ギアと前記第５ギアは同一な方向に回転することを特徴とする請求項１１記載のペースト物質吐出装置。
【請求項１３】
前記駆動モータは、前記駆動手段の外部に露出される作動ボタンと電気的に連結され、前記作動ボタンにより作動することを特徴とする請求項１１記載のペースト物質吐出装置。
【請求項１４】
前記駆動手段は、前記作動ボタンの下部に弾性部材を備えることを特徴とする請求項１３記載のペースト物質吐出装置。
【請求項１５】
前記駆動手段は、
第４回転軸と、
前記第４回転軸を貫通して固定されるように結合され、その外周面に第７歯が形成される第６ギアと、
前記第４回転軸を貫通して前記第６ギアの両面に固定されるように結合され、その外周面に前記プッシュバーに形成された前記第１歯と対応する第８歯が形成されて、前記プッシュバーと噛み合う多数の第７ギアと、
一端に前記第６ギアに形成された前記第７歯と噛み合う歯係止突起を備え、後半部に外力が印加されるプッシュボタンを備え、前記歯係止突起と隣接した部分を軸にしてシーソー運動をするボタン本体と、
前記ボタン本体の位置回復のために、前記プッシュボタンの下面に設けられる弾性部材を含むことを特徴とする請求項６記載のペースト物質吐出装置。
【請求項１６】
前記プッシュボタンは、外力が印加されることを助けるために、外部に露出されることを特徴とする請求項１５記載のペースト物質吐出装置。
【請求項１７】
前記歯係止突起は三角断面を有することを特徴とする請求項１５記載のペースト物質吐出装置。
【請求項１８】
ペースト物質の外部吐出が可能であるように、少なくとも１つ以上の受容空間を有する格納容器を格納するための格納手段と、
前記格納手段と分離可能に結合され、前記格納容器内の前記ペースト物質を押し出すためのプッシング手段と、
を含むことを特徴とするペースト物質吐出装置。
【請求項１９】
前記格納手段は、内部に前記格納容器を独立的に格納するための独立した格納空間が形成された第１ケースを含み、
前記第１ケースの一端には前記ペースト物質が吐出される第１吐出口が形成されており、前記第１ケースの他端には前記格納容器が挿入される挿入口が形成されており、
前記格納容器はペースト物質を格納することができる少なくとも１つ以上の受容空間が形成されており、前記受容空間の両端には前記ペースト物質を注入するための注入口と、前記ペースト物質を排出するための第２排出口が形成されており、
前記格納容器の受容空間の注入口から第２排出口側へ前記ペースト物質を押し出すピストンが前記受容空間の内周壁に密着するように設けられたことを特徴とする請求項１８記載のペースト物質吐出装置。
【請求項２０】
前記プッシング手段は、
一側が前記第１ケースの挿入口側に連結され、内部に設置空間が形成された第２ケースと、
前記第２ケースの設置空間に設けられて前記ピストンを前記注入口から第２排出口側へ押し出すプッシュバーと、
を含むことを特徴とする請求項１８記載のペースト物質吐出装置。
【請求項２１】
前記プッシュバーは、
所定の長さを有し、前記ピストンに密着するプッシュティップと、
前記プッシュティップと一体形成されて長手方向に上部面に形成された第１歯と、
前記上部面に反対側の下部面に形成された第２歯と、
前記プッシュティップの反対側に形成されたプッシュバー後退ティップと、
を含むことを特徴とする請求項２０記載のペースト物質吐出装置。
【請求項２２】
前記プッシュバー後退ティップは、前記プッシュバーの下部面方向に“Ｌ”形態で折曲げられており、前記プッシュバー後退ティップが前記プッシュバーの移動方向に沿って移動できるように前記第２ケースの下部面にスロットが形成されていることを特徴とする請求項２１記載のペースト物質吐出装置。
【請求項２３】
前記プッシング手段は、前記第２ケースの下部面に設けられ、前記スロットと同一線上に設けられ、前記第１ケースに近い側の前記スロットに近接するように設けられて、前記プッシュバーの後退を防ぐプッシュバー後退防止ティップを更に含むことを特徴とする請求項２２記載のペースト物質吐出装置。
【請求項２４】
前記プッシング手段は、第２ケースの上部面に形成された設置孔に設けられるプッシャーを更に含み、
前記プッシャーは、
前記設置孔に設けられ、一端は固定ヒンジに結合され、他端は前記第２ケースの上部面で所定の高さで傾斜するように突出するプッシュボタンと、
一端は前記プッシュボタンの下部の中心部分と流動ヒンジにより結合され、前記他端は前記プッシュバーの第１歯に噛み合って前記プッシュボタンの作動により前記プッシュバーを前記格納容器の注入口から第２排出口側へ移動させる歯プッシャーと、
前記プッシュボタンの裏側に設けられて、前記歯プッシャーを前記プッシュバーの第１歯から分離させるプッシャー解除ボタンと、
を含むことを特徴とする請求項２０記載のペースト物質吐出装置。
【請求項２５】
前記歯プッシャーは、前記プッシュボタンを押さえる動作により前記歯プッシャーの他端が前記第１歯を押すことができるように、前記歯プッシャーの他端と前記流動ヒンジ及び前記固定ヒンジが“Ｖ”形態をなすように前記プッシュボタンに連結設けられ、前記第１歯は前記歯プッシャーの押す動作によりプッシュバーが前記格納容器の注入口から第２排出口側の一方向に移動できるように歯が形成されていることを特徴とする請求項２４記載のペースト物質吐出装置。
【請求項２６】
前記第１ケースと第２ケースの互いに対向する面の一側を連結するヒンジと、
前記ヒンジが設けられた側の反対側に設けられて、前記第１ケースと第２ケースを開閉する開閉器を更に含むことを特徴とする請求項２０乃至２５のうち、いずれか１項記載のペースト物質吐出装置。
【請求項２７】
前記格納手段において、前記ペースト物質が吐出される部分に結合されて前記ペースト物質を外部に吐出させる連結器を更に含むことを特徴とする請求項１乃至３及び請求項１８乃至２５のうち、いずれか１項記載のペースト物質吐出装置。
【請求項２８】
前記連結器は櫛であって、前記格納手段のペースト物質が吐出される部分に結合される結合部と、
前記結合部と連結され、その上部面には櫛歯が形成され、その一側には前記格納手段のペースト物質が吐出される部分と連通されてペースト物質が吐出される連結器排出口が形成された櫛歯胴体と、
を更に含むことを特徴とする請求項２７記載のペースト物質吐出装置。
【請求項２９】
前記連結器排出口は、前記櫛歯胴体に多数個が形成され、かつ、各々の前記連結器排出口からペースト物質が均一に排出できるように前記結合部側の櫛歯胴体の一端部から前記櫛歯胴体の他端部に遠ざかるほど、その直径が大きく形成されたことを特徴とする請求項２８記載のペースト物質吐出装置。
【請求項３０】
前記ペースト物質が使用者の頭皮に接触しないように、前記連結器排出口の高さは前記櫛歯の高さより低く形成されたことを特徴とする請求項２８記載のペースト物質吐出装置。
【発明の詳細な説明】
【技術分野】
【０００１】
本発明は、吐出装置に関し、より詳しくは、歯磨きなどのペースト物質を容易に吐出できるペースト物質吐出装置に関する。
【背景技術】
【０００２】
ペースト物質とは、歯磨きや軟膏のように、非凝固状態に存在してから外部に特定時間露出される場合、凝固状態に変化する物質をいう。
【０００３】
周囲で使われているペースト物質は大抵ふかふかの軟性材質のチューブに格納されており、チューブに外力を印加して圧着することによって、内部に格納されたペースト物質を外部に吐出させることができる。
【０００４】
このような軟性材質のチューブ内に格納されたペースト物質は、チューブに完全に圧着することが容易でなくて、内部に残量のペースト物質がある状態で捨てられる場合がたびたびあった。
【０００５】
このような問題点を解決するために、本出願人は２００２年１０月２３日付で出願した大韓民国特許出願第１０２００２６４８３６号に開示された［ペースト物質吐出容器］を開発した。
【０００６】
ペースト物質吐出容器は、図２２に示すように、ハウジング１０、ピストン５０、エキチュエータ２０、下部キャップ９０及び上部キャップ８０を含む。
【０００７】
前記ピストン５０はハウジング１０に格納されたペースト物質（Ａ）を吐出させるための手段であって、前記ハウジング１０の内部に上下に移動可能に密着挿入された。
【０００８】
前記ピストン５０は、ピストン傾斜面５２とピストン突出部５４を含む。
【０００９】
前記ピストン傾斜面５２は、前記ハウジング１０の上部に形成されたハウジング傾斜面１４に対応するように形成されたのであり、前記ピストン突出部５４は、前記ハウジング１０のネック１５に対応するように形成されて、前記ピストン５０は前記ハウジング１０の上部終端まで密着移動されることができる。
【００１０】
前記エキチュエータ２０は、前記ピストン５０を移動させるための駆動手段であって、その外周面には第１雄ねじ部２５が形成されており、下部内周面には第３雌ねじ部２３が形成されている。
【００１１】
前記エキチュエータ２０は、前記第１雄ねじ部２５と前記第１雌ねじ部２３がねじ結合されながら前記ピストン５０まで挿入される。
【００１２】
前記エキチュエータ２０が前記ピストン５０まで挿入された後には、前記エキチュエータ２０のピッチ数を調節して希望する量だけのペースト物質（Ａ）を吐出させる。
【００１３】
しかしながら、このような吐出容器は、使用者が片手でハウジングを握り、他の手でエキチュエータを回転させなければペースト物質を吐出できなかった。したがって、ペースト物質を片手で容易に吐出することが困難であった。
【発明の開示】
【発明が解決しようとする課題】
【００１４】
本発明は、このような従来技術の問題点を解決するために案出したものである。本発明の第１目的は、ペースト物質を片手で容易に吐出できるペースト物質吐出装置を提供することにある。
【００１５】
本発明の第２目的は、片手で１種以上のペースト物質を同時に吐出させることができるペースト物質吐出装置を提供することにある。
【００１６】
本発明の第３目的は、片手で１種以上のペースト物質を混合して同時に吐出させることができるペースト物質吐出装置を提供することにある。
【００１７】
本発明の第４目的は、ペースト物質を使用した後にペースト物質が格納された格納容器を容易に交替することによって、リサイクル可能なペースト物質吐出装置を提供することにある。
【００１８】
本発明の第５目的は、吐出装置のペースト物質が排出される部分に連結器を結合して多用途に使用することができる吐出装置を提供することにある。
【課題を解決するための手段】
【００１９】
前述した本発明の目的を達成するために、本発明は、外部吐出が可能であるように、１種以上のペースト物質を独立的に格納するための格納手段と、前記格納手段と分離可能に結合され、前記格納手段に格納された前記ペースト物質を押し出すためのプッシング手段と、を含むことを特徴とするペースト物質吐出装置を提供する。
【００２０】
前記格納手段は、内部に前記ペースト物質を独立的に格納するための独立した格納空間を形成し、前記格納空間の前後に前記ペースト物質が吐出される第１吐出口と前記ペースト物質が注入される注入口を形成することができる。
【００２１】
前記プッシング手段は、前記格納空間が形成された前記格納手段の内周壁の全体と気密を維持するように接触するプッシング部材を含むことができる。
【００２２】
また、本発明は、ペースト物質の外部吐出が可能であるように、１以上のペースト物質吐出容器を独立的に格納するための格納手段と、前記格納手段と分離可能に結合され、前記吐出容器内の前記ペースト物質を押し出すためのプッシング手段と、を含むことを特徴とするペースト物質吐出装置を提供する。
【００２３】
前記格納手段は、内部に前記格納容器を独立的に格納するための独立した格納空間を形成し、前記格納空間の前後に前記ペースト物質が吐出される第２吐出口と前記格納容器が挿入される挿入口を形成することができる。
【００２４】
本発明の吐出装置は、独立的に吐出される前記ペースト物質を１つで混合して同時に吐出するために、１つの第３吐出口を有する混合吐出手段を更に含むことができる。
【００２５】
本発明の吐出装置において、前記格納手段と前記混合吐出手段は、分離可能に結合されるように前記格納手段の一端の外周面に結合突起を形成し、前記混合吐出手段の内周面に前記結合突起と対応する結合溝を形成することができる。
【００２６】
前記混合吐出手段は、前記第３吐出口を封ずるための所定の栓を備えることができる。
本発明の吐出装置において、前記プッシング手段は、前記ペースト物質を押し出すための斥力を発生するための駆動手段を備えることができる。
【００２７】
前記プッシング手段は、前記独立した格納空間と対応する数のプッシュバーを備え、前記プッシュバーには長手方向に所定長さの第１歯を形成することができる。
【００２８】
前記プッシュバーに形成された前記第１歯は台形断面を有することができる。
【００２９】
本吐出装置において、前記駆動手段は、第１回転軸と、前記第１回転軸を貫通して固定されるように結合され、外力により回転する回転輪と、前記第１回転軸を貫通して前記回転輪の両面に固定されるように結合され、その外周面に前記プッシュバーに形成された前記第１歯と対応する第２歯が形成されて、前記プッシュバーと噛み合う多数の第１ギアと、を含むことができる。
【００３０】
前記回転輪の外周面には多数の滑り防止突起を形成することができる。
【００３１】
前記回転輪は、前記ギアより大きい直径を有し、その一部を外部に露出させることができる。
【００３２】
また、本吐出装置において、前記駆動手段は、第２回転軸と、前記第２回転軸を貫通して固定されるように結合され、その外周面に第３歯が形成される第２ギアと、前記第２回転軸を貫通して前記第２ギアの両面に固定されるように結合され、その外周面に前記プッシュバーに形成された前記第１歯と対応する第４歯が形成されて、前記プッシュバーと噛み合う多数の第３ギアと、前記第２回転軸と所定の間隔を置いて配置される第３回転軸と、前記第３回転軸を貫通して固定されるように結合され、その外周面に前記第２ギアに形成された前記第３歯と対応する第５歯が形成されて、前記第２ギアと噛み合う第４ギアと、その外周面に前記第４ギアに形成された前記第５歯と対応する第６歯が形成されて、前記第４ギアと噛み合う第５ギアと、前記第５ギアの中心に軸方向に固定されるように結合されるモータ軸を備えた駆動モータと、を含むことができる。
【００３３】
前記第２ギアと前記第５ギアは同一な方向に回転させることができる。
【００３４】
前記駆動モータは、前記駆動手段の外部に露出される作動ボタンと電気的に連結され、前記作動ボタンにより作動することができる。
【００３５】
前記駆動手段は、前記作動ボタンの下部に弾性材を備えることができる。
【００３６】
また、本吐出装置において、前記駆動手段は、第４回転軸と、前記第４回転軸を貫通して固定されるように結合され、その外周面に第７歯が形成される第６ギアと、前記第４回転軸を貫通して前記第６ギアの両面に固定されるように結合され、その外周面に前記プッシュバーに形成された前記第１歯と対応する第８歯が形成されて、前記プッシュバーと噛み合う多数の第７ギアと、一端に前記第６ギアに形成された前記第７歯と噛み合う歯係止突起を備え、後半部に外力が印加されるプッシュボタンを備え、前記歯係止突起と隣接した部分を軸にしてシーソー運動をするボタン本体と、前記ボタン本体の位置回復のために前記プッシュボタンの下面に設けられる弾性部材と、を含むことができる。
【００３７】
前記プッシュボタンは外力が印加されることを助けるために、外部に露出させることができる。
【００３８】
前記歯係止突起は、三角断面を有することができる。
【００３９】
また、本発明の他の実施形態に係るペースト物質吐出容器は、ペースト物質の外部吐出が可能であるように、少なくとも１つ以上の受容空間を有する格納容器を格納するための格納手段と、前記格納手段と分離可能に結合され、前記格納容器内の前記ペースト物質を押し出すためのプッシング手段と、を含むことができる。
【００４０】
また、前記格納手段は、内部に前記格納容器を独立的に格納するための独立した格納空間が形成された第１ケースを含み、前記第１ケースの一端には前記ペースト物質が吐出される第１吐出口が形成されており、前記第１ケースの他端には前記格納容器が挿入される挿入口が形成されることができる。
【００４１】
前記格納容器はペースト物質を格納することができる少なくとも１つ以上の受容空間が形成されており、前記受容空間の両端には前記ペースト物質を注入するための注入口と、前記ペースト物質を排出するための第２排出口が形成されており、前記格納容器の受容空間の注入口から第２排出口側へ前記ペースト物質を押し出すピストンが前記受容空間の内周壁に密着するように設けられることができる。
【００４２】
本発明の前記プッシング手段は、一側が前記第１ケースの挿入口側に連結され、内部に設置空間が形成された第２ケースと、前記第２ケースの設置空間に設けられて前記ピストンを前記注入口から第２排出口側へ押し出すプッシュバーと、を含むことができ、前記プッシュバーは、所定の長さを有し、前記ピストンに密着するプッシュティップ、前記プッシュティップと一体形成されて長手方向に上部面に形成された第１歯、前記上部面に反対の下部面に形成された第２歯、及び前記プッシュティップの反対側に形成されたプッシュバー後退ティップを含むことができる。
【００４３】
本発明の前記プッシュバー後退ティップは、前記プッシュバーの下部面方向に“Ｌ”形態で折曲げられており、前記プッシュバー後退ティップが前記プッシュバーの移動方向に沿って移動できるように前記第２ケースの下部面にスロットが形成されることができる。
【００４４】
本発明の前記プッシング手段は、前記第２ケースの下部面に設けられ、前記スロットと同一線上に設けられ、前記第１ケースに近い側の前記スロットに近接するように設けられて、前記プッシュバーの後退を防ぐプッシュバー後退防止ティップを更に含むことができる。
【００４５】
また、本発明の前記プッシング手段は、第２ケースの上部面に形成された設置孔に設けられるプッシャーを更に含み、前記プッシャーは、前記設置孔に設けられ、一端は固定ヒンジに結合され、他端は前記第２ケースの上部面で所定の高さで傾斜するように突出するプッシュボタン、一端は前記プッシュボタンの下部の中心部分と流動ヒンジにより結合され、前記他端は前記プッシュバーの第１歯に噛み合って前記プッシュボタンの作動により前記プッシュバーを前記格納容器の注入口から第２排出口側へ移動させる歯プッシャー、及び前記プッシュボタンの裏側に設けられて、前記歯プッシャーを前記プッシュバーの第１歯から分離させるプッシャー解除ボタンを含むことができる。
【００４６】
本発明の前記歯プッシャーは、前記プッシュボタンを押さえる動作により前記歯プッシャーの他端が前記第１歯を押すことができるように、前記歯プッシャーの他端と前記流動ヒンジ及び前記固定ヒンジが“Ｖ”形態をなすように前記プッシュボタンに連結設けられ、前記第１歯は前記歯プッシャーの押す動作によりプッシュバーが前記格納容器の注入口から第２排出口側の一方向に移動できるように歯が形成されることができる。
【００４７】
本発明のペースト物質吐出容器は、前記第１ケースと第２ケースの互いに対向する面の一側を連結するヒンジ及び前記ヒンジが設けられた側の反対側に設けられて、前記第１ケースと第２ケースを開閉する開閉器を更に含むことができる。
【００４８】
また、本発明は、ペースト物質の外部吐出が可能であるように、少なくとも１つ以上の受容空間を有する格納容器を格納するための格納手段と、前記格納手段と分離可能に結合され、前記格納容器内の前記ペースト物質を押し出すためのプッシング手段を含むことを特徴とするペースト物質吐出装置を提供する。
【００４９】
前記格納手段において、前記ペースト物質が吐出される部分に結合されて前記ペースト物質を外部に吐出させる連結器を更に含むことができる。
【００５０】
また、本発明の前記連結器は櫛であって、前記格納手段のペースト物質が吐出される部分に結合される結合部と、前記結合部と連結され、その上部面には櫛歯が形成され、その一側には前記格納手段のペースト物質が吐出される部分と連通されてペースト物質が吐出される連結器排出口が形成された櫛歯胴体と、を更に含むことができる。
【００５１】
本発明の前記連結器排出口は、前記櫛歯胴体に多数個が形成され、かつ、各々の前記連結器排出口からペースト物質が均一に排出できるように前記結合部側の櫛歯胴体の一端部から前記櫛歯胴体の他端部に遠ざかるほど、その直径が大きく形成されることができる。
【００５２】
本発明の前記ペースト物質が使用者の頭皮に接触しないように前記連結器排出口の高さは前記櫛歯の高さより低く形成されることができる。
【発明を実施するための最良の形態】
【００５３】
以下、添付した図面を参照しつつ本発明の好ましい実施形態に係るペースト物質吐出装置に対して詳細に説明する。
【００５４】
（第１実施形態）
本発明の好ましい第１実施形態に係るペースト物質吐出装置を、図１乃至図４を参照しつつ説明する。
【００５５】
図１は本発明の好ましい第１実施形態に係るペースト物質吐出装置の概略的な分解斜視図であり、図２はＡ−Ａ線に沿って得られた図１の吐出装置の第１本体の内部断面図であり、図３はＢ−Ｂ線に沿って得られた図１の吐出装置の第２本体の内部断面図であり、図４は図１の吐出装置を作動するための作動構造物を示す概略的な斜視図である。
【００５６】
図示したように、本発明の第１実施形態に係る吐出装置１００は、ペースト物質を格納してから吐出する第１本体１１０と前記第１本体１１０と分離可能に結合され、前記ペースト物質を押し出すための第２本体１２０とを含む。
【００５７】
前記第１本体１１０は、その内部に２種のペースト物質を格納するための格納空間１１６を形成する。前記格納空間１１６は瓶形状で形成したが、その形状及び大きさに制限はない。
【００５８】
また、前記第１本体１１０の両端には、前記ペースト物質を注入するための注入口１１５と前記ペースト物質を排出するための第１排出口１１７を形成する。
【００５９】
また、前記第１本体１１０には前記第１排出口１１７と連結されるペースト物質排出通路１１８が内部に形成されるマージング部（mergingportion）１１が備えられる。
【００６０】
前記マージング部１１の自由端には前記排出通路１１８と連結され、前記排出通路１１８を通過した前記ペースト物質が排出される第２排出口１１３が形成されるキャップ結合部１１２を形成する。
【００６１】
前記キャップ結合部１１２にはキャップ１３０を分離可能に結合する。
【００６２】
前記キャップ１３０には前記ペースト物質が排出される第３排出口１３１を形成する。      
【００６３】
また、前記キャップ１３０には前記第３排出口１３１を封ずるための栓１３２を設ける。
【００６４】
前記キャップ結合部１１２の外周面には第１結合突起１１２ａを形成し、前記キャップ１３０の内部には第１結合溝（図示していない）を形成して、前記キャップ結合部１１２に前記キャップ１３０が分離可能に結合されるようにする。
【００６５】
また、前記第１本体１１０は、前記注入口１１５と隣接するように円形断面を有する多数の第２結合突起１１４を形成する。
【００６６】
前記第１本体１１０に形成された前記格納空間１１６には前記格納空間１１６の内周壁と密着するピストン１６０を挿入する。
【００６７】
前記ピストン１６０は、前記ペースト物質を前記格納空間１１６に注入した後に挿入し、外力の印加により前記ペースト物質を前記第１排出口１１７側に押し出す。
【００６８】
前記第２本体１２０は、その一面に前記第１本体１１０に形成された前記第２結合突起１１４と対応する第２結合溝１２３を形成する。前記第２本体１２０は、前記第１本体１１０と同一な厚さと幅を有するように形成することが好ましくて、使用者が容易に把持できるように多様な形態で外部形状を変更することができる。
【００６９】
前記第２本体１２０は、前記第２結合溝１２３が形成された同一面に前記第１本体１１０に形成された格納空間１１６と対応するようにプッシュバー挿入ホール１２１を形成し、その上段には回転輪１４０が露出される回転輪装着ホール１２２を形成する。
【００７０】
また、前記第２本体１２０の内部には前記プッシュバー挿入ホール１２１と直交する方向に前記回転輪１４０の回転軸１４２が挿入される回転軸挿入ホール１２４を形成する。
また、前記第２本体１２０には前記プッシュバー挿入ホール１２１に挿入され、前記ピストン１６０を押し出すためのプッシュバー１５０を装着する。本実施形態では、前記ピストン１６０とプッシュバー１５０を分離して形成したが一体形成しても構わない。
【００７１】
前記プッシュバー１５０は円形断面で形成するが、後述するように、多様な形状で形成することができる。
【００７２】
また、前記プッシュバー１５０には長手方向に所定長さの平坦面１５１を形成し、前記平坦面１５１には所定大きさの第１歯１５１ａを形成する。
【００７３】
また、前記プッシュバー１５０は前記の回転輪１４０の両面に位置するように前記回転軸１４２に結合されるギア１４１により駆動される。
【００７４】
前記ギア１４１の外周面には、前記プッシュバー１５０に形成された前記第１歯１５１ａと対応する第２歯１４１ａを形成する。
【００７５】
前記回転輪１４０は、前記ギア１４１より大きい直径を有することが好ましくて、前記回転輪１４０の外周面には多数の滑り防止突起１４０ａを形成して、使用者が前記回転輪１４０を容易に回転させることができる。
【００７６】
前述した構成を有する前記吐出装置１００は次のように作動する。
【００７７】
使用者が前記吐出装置１００の前記第２本体１２０を片手に握り、例えば親指で前記回転輪１４０を回転させる。
【００７８】
この際、前記回転輪１４０に同軸に結合されたギア１４１が前記回転輪１４０と同一方向に回転する。
【００７９】
前記ギア１４１が回転すれば、前記ギア１４１と噛合している前記プッシュバー１５０が前記ギア１４１の回転運動によって直線運動をしながら前に前進する。
【００８０】
また、前記プッシュバー１５０が前進しながら前記第１本体１１０の前記格納空間１１６に挿入された前記ピストン１６０を押し出すことによって、前記ペースト物質を第１排出口１１７側に押し出す。
【００８１】
前記プッシュバー１５０の前進運動が加えれば、前記ペースト物質は排出通路１１８、前記第２排出口１１３及び前記第３排出１３１を通じて外部に吐出される。
【００８２】
（第２実施形態）
本発明の好ましい第２実施形態に係るペースト物質吐出装置を、図５乃至図８を参照しつつ詳細に説明する。
【００８３】
図５は本発明の好ましい第２実施形態に係るペースト物質吐出装置の概略的な分解斜視図であり、図６はＢ−Ｂ線に沿って得られた図５の吐出装置の第２本体の内部断面図であり、図７は図５の吐出装置を作動するための作動構造物を示す概略的な斜視図であり、図８は図５の吐出装置の作動の可否を決定する作動ボタンを示す概略的な断面図である。
【００８４】
図示のように、本発明の第２実施形態に係る吐出装置２００はペースト物質を格納してから吐出する第１本体２１０と前記第１本体２１０と分離可能に結合され、前記ペースト物質を押し出すための第２本体２２０とを含む。
【００８５】
前記第１本体２１０は前述した第１実施形態の前記第１本体１１０と実質的に同一であり、その前面にマージング部２１１を備え、その後面に第２結合突起２１４を備える。
【００８６】
また、前記第１本体２１０の格納空間（図示していない）には前記格納空間の内周壁と密着するように挿入されるピストン２６０が挿入される。
【００８７】
前記マージング部２１１には第２排出口２１３が形成されたキャップ結合部２２２を形成し、前記キャップ結合部２２２の外周面には第１結合突起２２２ａを形成する。
【００８８】
前記キャップ結合部２２２には第３排出口２３１が形成されたキャップ２３０を結合する。前記キャップ２３０の内周壁には前記第１結合突起２２２ａと対応する第１結合溝（図示していない）を形成して、前記キャップ２３０が前記キャップ結合部２２２に分離可能に結合されるようにする。
【００８９】
前記第２本体２２０は、その一面に前記第１本体２１０に形成された前記第２結合突起２１４と対応する第２結合溝２２３を形成する。前記第２本体２２０は、前記第１本体２１０と同一な厚さと幅を有するように形成することが好ましくて、使用者が容易に把持できるように多様な形態で外部形状を変更することができる。
【００９０】
また、前記第２本体２２０は、前記一面にプッシュバー挿入ホール２２１を形成し、その上面には作動ボタン２４０が露出される作動ボタン装着ホール２２２を形成する。
【００９１】
また、前記第２本体２２０の内部には、前記プッシュバー挿入ホール２２１と直交する方向に第１回転軸２４２が挿入される第１回転軸挿入ホール２２４と第２回転軸２４４が挿入される第２回転軸挿入ホール２２５を形成する。
【００９２】
前記第２本体２２０には前記プッシュバー挿入ホール２２１に挿入され、前記ピストン２６０を押し出すためのプッシュバー２５０を装着する。前記プッシュバー２５０は前述した第１実施形態の前記プッシュバー１５０と実質的に同一であるので、これに対する詳細な説明は省略する。
【００９３】
前記第１回転軸２４２には、第１ギア２４１ａが結合され、前記第１ギア２４１ａの両面には前記第１ギア２４１ａより直径の小さい第２ギア２４１ｂが結合される。
【００９４】
前記第２ギア２４１ｂは前記プッシュバー２５０と噛み合う。
【００９５】
前記第２回転軸２４４は前記第１回転軸２４２と一定距離を置いて配置される。また、前記第２回転軸２４４には、前記第１ギア２４１ａと噛み合う第３ギア２４３を結合する。
【００９６】
前記第３ギア２４３は駆動モータ２４６のモータ軸２４６ａと結合される第４ギア２４５と噛み合い、前記駆動モータ２４６は電線２４６ｂにより電源及び作動ボタン２４０と電気的に連結される。
【００９７】
本実施形態では前記駆動モータ２４６の前記モータ軸２４６ｂの回転方向と同一な方向に前記第１ギア２４１ａを回転させるためにこれらの間に前記第３ギア２４３を介したが前記第１ギア２４１ａに前記モータ軸２４６ｂを直接噛み合うことができる。
【００９８】
前記作動ボタン２４０は、前記第２本体２２０の上面に形成された前記作動ボタン装着ホール２２２を通じて外部に露出される。
【００９９】
また、前記作動ボタン２４０の下部面と前記作動ボタン装着ホール２２２の底面には電源と電気的に連結される第１金属板２４８ａと前記駆動モータ２４６の前記電線２４６ｂと電気的に連結される第２金属時２４８ｂを備える。
【０１００】
また、前記作動ボタン２４０の下部面と前記作動ボタンホール２２２の底面との間にはスプリング２４７を介する。
【０１０１】
これによって、前記作動ボタン２４０に外力が非印加される際、前記駆動モータ２４６が作動し、前記作動ボタン２４０から外力が非印加される際、前記駆動モータ２４６が作動を止める。また、この際、前記作動ボタン２４０は、前記スプリング２４７により原位置に戻る。
【０１０２】
また、前記作動ボタン２４０の末端部には係止突起２４９ａを形成し、前記作動ボタン装着ホール２２２の内周面の所定位置には係止段２４９ｂを形成する。
【０１０３】
これによって、前記作動ボタン２４０が前記作動ボタン装着ホール２２２から外部に脱落しない。
【０１０４】
前述した構成を有する前記吐出装置２００は次の通り作動する。
【０１０５】
使用者が前記吐出装置２００の前記第２本体２２０を片手に握り、例えば親指で前記作動ボタン２４０を押さえる。
【０１０６】
この際、前記作動ボタン２４０及び電源と電気的に連結された前記駆動モータ２４６が駆動される。
【０１０７】
前記駆動モータ２４６が駆動されれば、前記駆動モータ２４６に結合された前記第４ギア２４５が回転する。この際、前記第４ギア２４５に噛み合っている前記第３ギア２４３及び前記第３ギア２４３に噛み合っている前記第１ギア２４１ａが回転する。また、前記第１ギア２４１ａと前記第１回転軸２４２に同時に結合されている前記第２ギア２４１ｂが回転する。
【０１０８】
前記第２ギア２４１ｂが回転すれば、前記第２ギア２４１ｂに噛み合っている前記プッシュバー２５０が前記第２ギア２４１ｂの回転運動によって直線運動をしながら前に前進する。
【０１０９】
前記プッシュバー２５０が前進しながら前記第１本体２１０の前記格納空間（図示していない）に挿入された前記ピストン２６０を押し出すことによって前記ペースト物質を外部に吐出させる。
【０１１０】
（第３実施形態）
本発明の好ましい第３実施形態に係るペースト物質吐出装置を、図９乃至図１１を参照しつつ詳細に説明する。
【０１１１】
図９は本発明の好ましい第３実施形態に係るペースト物質吐出装置の概略的な分解斜視図であり、図１０はＢ−Ｂ線に沿って得られた図９の吐出装置の第２本体の内部断面図であり、図１１は図９の吐出装置を作動するための作動構造物を示す概略的な斜視図である。
【０１１２】
図示したように、本発明の第３実施形態に係る吐出装置３００は、ペースト物質を格納してから吐出する第１本体３１０と前記第１本体３１０と分離可能に結合され、前記ペースト物質を押し出すための第２本体３２０を含む。
【０１１３】
前記第１本体３１０は、前述した第１実施形態の前記第１本体１１０と実質的に同一であり、その前面にマージング部３１１を備え、その後面に第２結合突起３１４を備える。
【０１１４】
また、前記第１本体３１０の格納空間（図示していない）には、前記格納空間の内周壁と密着するように挿入されるピストン３６０が挿入される。
【０１１５】
前記マージング部３１１には第２排出口３１３が形成されたキャップ３２２を形成し、前記キャップ結合部３２２の外周面には第１結合突起３２２ａを形成する。
【０１１６】
前記キャップ結合部３２２には第３排出口３３１が形成されたキャップ３３０を結合する。前記キャップ３３０の内周壁には前記第１結合突起３２２ａと対応する第１結合溝（図示していない）を形成して前記キャップ３３０が前記キャップ結合部３３２に分離可能に結合されるようにする。
【０１１７】
前記第２本体３２０は、その一面に前記第１本体３１０に形成された前記第２結合突起３１４と対応する第２結合溝３２３を形成する。前記第２本体３２０は前記第１本体３１０と同一な厚さと幅を有するように形成することが好ましくて、使用者が容易に把持できるように多様な形態で外部形状を変更することができる。
【０１１８】
また、前記第２本体３２０は、前記一面にプッシュバー挿入ホール３２１を形成し、その上面にはプッシュボタン３４０が露出されるプッシュボタン装着ホール３２２を形成する。
【０１１９】
また、前記第２本体３２０の内部には前記プッシュバー挿入ホール３２１と直交する方向に回転軸３４２が挿入される回転軸挿入ホール３２４と結合軸３４５が挿入される結合軸挿入ホール３２５とを形成する。
【０１２０】
また、前記第２本体３２０には、前記プッシュバー挿入ホール３２１に挿入され、前記ピストン３６０を押し出すためのプッシュバー３５０を装着する。前記プッシュバー３５０は、前述した第１実施形態の前記プッシュバー１５０と実質的に同一であるので、これに対する詳細な説明は省略する。
【０１２１】
前記回転軸３４２には第１ギア３４１を結合し、前記第１ギア３４１の両面には前記第１ギア３４１より直径の小さい第２ギア３４３を結合する。
【０１２２】
前記第２ギア３２３は、前記プッシュバー３５０と噛み合う。
【０１２３】
前記第１ギア３４１は、プッシュボタン胴体３４６により駆動される。
【０１２４】
前記プッシュボタン胴体３４６の一端には前記第１ギア３４１に形成された歯３４１ａを掛けて上げるための歯係止突起３４４を形成する。
【０１２５】
前記歯係止突起３４４の大きさには制限がないが、均等な力の伝達のために前記第１ギア３４１に形成された前記歯３４１ａと対応するように形成することが好ましい。
【０１２６】
また、前記歯係止突起３４４は、上側が平坦で、かつ、下方はふくらんとした曲面形態で形成する。したがって、前記歯係止突起３４４が上側に揚げられる時には前記第１ギア３４１に形成された前記歯３４１ａと結合されて前記第１ギア３４１を回転させ、逆に、前記歯係止突起３４４が下方に降りる時には前記第１ギア３４１に影響をしない。
【０１２７】
これによって、前記プッシュボタン３４０を押さえる度に前記第１ギア３４１が１歯に該当する角度だけ回転し、この際、前記回転軸３４２に前記第１ギア３４１と共に結合された前記第２ギア３４３も同時に回転する。この際、前記第２ギア３４３が回転しながら前記第２ギア３４３に噛み合った前記プッシュバー３５０が漸進的に前進する。
【０１２８】
また、前記プッシュボタン胴体３４６には前記歯係止突起３４４と隣接した位置に結合軸３４５を形成する。前記結合軸３４５により前記プッシュボタン胴体３４６は前記第２本体３２０にシーソー運動可能に結合される。
【０１２９】
また、前記プッシュボタン胴体３４６には、前記歯係止突起３４４と対向する位置に前記第２本体３２０の外部に露出される前記プッシュボタン３４０を形成する。
【０１３０】
前記プッシュボタン３４０は使用者が指で押さえやすい形状で形成することが好ましくて、使用の際、滑りを防止するためにその表面に滑り防止部材（図示していない）を取り付くことができる。
【０１３１】
また、前記プッシュボタン胴体３４６の下面には前記プッシュボタン３４０の直下方にスプリング３４７を設ける。これによって、外力が除去された前記プッシュボタン３４０は前記スプリング３４７により原位置に戻る。
【０１３２】
前述した構成を有する前記吐出装置３００は次のように作動する。
【０１３３】
使用者が前記吐出装置３００の前記第２本体３２０を片手に握り、例えば親指で前記プッシュボタン３４０を押さえる。
【０１３４】
前記プッシュボタン３４０が押されれば、前記ボタン胴体３４６に形成された前記歯係止突起３４４が前記第１ギア３４１に形成された前記歯３４１ａを持ち上げ、これによって、第１ギア３４１が回転する。
【０１３５】
前記第１ギア３４１が回転すれば、前記回転軸３４２に結合された前記第２ギア３４３も同時に回転する。
【０１３６】
前記第２ギア３４３が回転すれば、前記第２ギア３４３に噛み合っている前記プッシュバー３５０が前記第２ギア３４３の回転運動によって直線運動をしながら前に前進する。
【０１３７】
前記プッシュバー３５０は前進しながら前記第１本体３１０の前記格納空間（図示していない）に挿入された前記ピストン３６０を押し出すことによって、前記ペースト物質を外部に吐出させる。
【０１３８】
（第４実施形態）
本発明の好ましい第４実施形態に係るペースト物質吐出装置を、図１２及び図１３を参照しつつ詳細に説明する。
【０１３９】
図１２は本発明の好ましい第４実施形態に係るペースト物質吐出装置の概略的な分解斜視図であり、図１３はＡ−Ａ線に沿って得られた図１２の吐出装置の第１本体の内部断面図である。
【０１４０】
図示したように、本発明の第４実施形態に係る吐出装置４００は、ペースト物質格納容器４７０を格納し、前記格納容器４７０に格納されたペースト物質を吐出する第１本体４１０と前記第１本体４１０と分離可能に結合され、前記ペースト物質格納容器４７０に備えられるピストン（図示していない）を押し出すための第２本体４２０を含む。
【０１４１】
前記第１本体４１０はその内部に２つの格納容器４７０を格納するための格納空間４１６を形成する。前記格納空間４１６は前記格納容器４７０の外形と対応するように形成することが好ましい。
【０１４２】
また、前記第１本体４１０の両端には前記格納容器４７０を挿入するための挿入口４１５と前記ペースト物質を排出するための第１排出口４１７を形成する。
【０１４３】
また、前記第１本体４１０には前記第１排出口４１７と連結されるペースト物質排出通路４１８が内部に形成されるマージング部（merging portion）４１１を備える。
【０１４４】
前記マージング部４１１の自由端には前記排出通路４１８と連結され、前記排出通路４１８を通過した前記ペースト物質が排出する第２排出口４１３が形成されるキャップ結合部４１２を形成する。
【０１４５】
前記キャップ結合部４１２にはキャップ４３０を分離可能に結合する。前記キャップ４３０には前記ペースト物質が排出される第３排出口４３１を形成する。また、前記キャップ４３０には前記第３排出口４３１を封ずるための栓４３２を設ける。
【０１４６】
前記キャップ結合部４１２の外周面には第１結合突起４１２ａを形成し、前記キャップ４３１の内部には第１結合溝（図示していない）を形成して、前記キャップ結合部４１２に前記キャップ４３１が分離可能に結合されるようにする。
【０１４７】
また、前記第１本体４１０は、前記挿入口４１５と隣接するように円形断面を有する多数の第２結合突起４１４を形成する。
【０１４８】
前記第２本体４２０はその一面に前記第１本体４１０に形成された前記第２結合突起４１４と対応する第２結合溝４２３を形成する。前記第２本体４２０は前記第１本体４１０と同一な厚さと幅を有するように形成することが好ましくて、使用者が容易に把持できるように多様な形態で外部形状を変更することができる。
【０１４９】
前記第２本体４２０は、前記第２結合溝４２３が形成された同一面に前記第１本体４１０に形成された前記格納空間４１６と対応するようにプッシュバー挿入ホール４２１を形成し、その上面には回転輪４４０が露出する回転輪装着ホール４２２を形成する。
【０１５０】
その他、前記第２本体４２０に対する詳細な構成は図１乃至図４を参照して前述した第１実施形態の構成と実質的に同一であるので、その構成及び作動に対する説明を省略する。
【０１５１】
（第５実施形態）
本発明の好ましい第５実施形態に係るペースト物質吐出装置は、第１本体が図１２及び図１３を参照して説明した第４実施形態と実質的に同一であり、第２本体は図５乃至図８を参照して説明した第２実施形態と実質的に同一であるので、これらの構成及び作動に対する詳細な説明は省略する。
【０１５２】
（第６実施形態）
本発明の好ましい第６実施形態に係るペースト物質吐出装置は、第１本体が図１２及び図１３を参照して説明した第４実施形態と実質的に同一であり、第２本体は図９乃至図１１を参照して説明した第３実施形態と実質的に同一であるので、これらの構成及び作動に対する詳細な説明は省略する。
【０１５３】
前述した第１乃至第６実施形態で言及した前記第１本体と前記第２本体の結合構造は種々なる形態が可能であり、これを図１４及び図１５を参照して簡略に説明する。
【０１５４】
図１４は本発明の吐出装置の第１本体と第２本体の結合構造の変形例を示す図であり、図１５は本発明の吐出装置の第１本体と第２本体の結合構造の他の変形例を示す図である。
【０１５５】
図１４に示すように、第１本体５１０の一端には“Ｌ”形状結合突起５１４を形成し、第２本体５２０の一端には前記結合突起５１４と対応する結合溝５２３を形成する。
【０１５６】
したがって、前記結合突起５１４を前記結合溝に嵌め込むことによって、前記第１本体と前記第２本体が固定されるように結合される。
【０１５７】
また、図１５に示すように、第１本体６１０の一端には“コ”形状結合突起６１４を形成し、第２本体６２０の一端には前記結合突起６１４と対応する結合溝６２３を形成する。
【０１５８】
したがって、前記結合突起６１４を前記結合溝６２３に嵌め込むことによって、前記第１本体６１０と前記第２本体６２０が固定されるように結合される。
【０１５９】
前述した実施形態で言及したプッシュバーは多様な形状で形成することができ、可能な形状の断面例を図１６に図示する。
【０１６０】
図示したように、プッシュバーは、円形断面、楕円形断面、不倒翁形断面及び逆五角形断面で形成することができる。
【０１６１】
前述した実施形態で言及した各歯は多様な形状で形成することができ、可能な形状の断面例を図１７に図示する。
【０１６２】
図示したように、歯は、台形形状、四角形状及び一側壁が凹んでおり、他側壁が垂直な形状などで形成することができる。
【０１６３】
（第７実施形態）
本発明の好ましい第７実施形態に係るペースト物質吐出装置を、図１８乃至図２１を参照しつつ説明する。
【０１６４】
図１８は本発明の好ましい第７実施形態に係るペースト物質吐出装置の斜視図であり、図１９は図１８の吐出装置の背面図であり、図２０は図１８の格納容器の分解斜視図であり、図２１はＣ−Ｃ線に沿って得られた図１８の吐出装置の断面図である。
【０１６５】
図示したように、本発明の第７実施形態に係る吐出装置７００は、ペースト物質格納容器７７０を格納し、前記格納容器７７０に格納されたペースト物質７７１を吐出する第１本体７１０と、前記第１本体７１０と分離可能に結合され、前記格納容器７７０に備えられるピストン７６０を押し出すためのプッシャー７４０が設けられた第２本体７２０とを含む。
【０１６６】
前記第１本体７１０は、その内部に格納容器７７０を格納するための格納空間７１６が形成された第１ケース７１９を含む。前記格納空間７１６は前記格納容器７７０の外形と対応するように形成することが好ましい。
【０１６７】
また、前記第２本体７２０が結合される前記第１ケース７１９の一端には前記格納容器７７０を挿入するための挿入口７１５が形成されており、挿入口７１５と連通された第１ケースト７１９の他端には前記格納容器７７０に受容されたペースト物質７７１を排出するための第１排出口７１７が形成されている。
【０１６８】
また、第１ケースト７１９の他端の外側面にはキャップ結合部７１２が形成されている。キャップ結合部７１２には第１実施形態のように結合突起を形成することができる。
【０１６９】
キャップ７３０は前記キャップ結合部７１２には分離可能に結合される。
【０１７０】
前記格納容器７７０はペースト物質７７１を格納することができる受容空間７７６が形成されており、前記受容空間７７６の両端には前記ペースト物質７７１を注入するための注入口７７５と、前記ペースト物質７７１を排出するための第２排出口７７７が形成されている。
【０１７１】
前記第１ケースの格納空間７１６に挿入された前記格納容器の第２排出口７７７は前記格納空間の第１排出口７１７の終端よりは突出するように設けられる。
【０１７２】
前記格納容器７７０には３種のペースト物質７７１を格納することができる受容空間７７６が独立的に形成されている。
【０１７３】
勿論、３つの前記受容空間７７６に格納された前記ペースト物質７７１が各々排出できるように、３つの前記受容空間７７６に各々独立的に連結されるように第２排出口７７７が形成されている。
【０１７４】
前記格納容器の受容空間７７６の注入口７７５から第２排出口７７７側に前記ペースト物質７７１を押し出すピストン７６０が前記受容空間７７６の内周壁に密着するように挿入されている。
【０１７５】
勿論、前記ピストン７６０は３つの前記受容空間７７６に独立的に挿入されている。
【０１７６】
前記ピストン７７０は、前記受容空間７７６に注入された前記ペースト物質７７１を前記注入口７７５から前記第２排出口７７７側に作用する外力により移動しながら前記ペースト物質７７１を前記第２排出口７７７側に押し出す。
【０１７７】
前記第２本体７２０は、プッシャー７４０とプッシュバー７５０が設けられることができる設置空間７２２が形成された第２ケース７２９を含む。前記第２本体７２０は前記第１本体７１０と同一な厚さと幅を有するように形成することが好ましくて、使用者が容易に把持できるように多様な形態で外部形状を変更することができる。
【０１７８】
前記第２ケース７２９は、前記第１ケースの挿入口７１５と対向する位置に開放部７２１が形成された設置空間７２２を含む。
【０１７９】
前記設置空間７２２の内部には前記格納容器のピストン７６０を各々前記格納容器の注入口７７５から前記第２排出口７７７側に押して移動させる前記プッシュバー７５０が内設される。
【０１８０】
前記プッシュバー７５０は所定の長さを有し、前記ピストン７６０に密着するプッシュティップ５３と、プッシュティップ７５３と一体形成されて長手方向に上部面に形成された第１歯７５１と、上部面に反対の下部面に形成された第２歯７５２と、前記プッシュティップ７５３の反対側に形成されたプッシュバー後退ティップ７５４とを含む。
【０１８１】
前記プッシュバー後退ティップ７５４は、プッシュバー７５０の下部面の下に“Ｌ”形状で折曲げられている。前記プッシュバー後退ティップ７５４が前記プッシュバー７５０の移動方向に沿って移動できるように、前記第２ケース７２９の下部面にスロット７２４が形成されている。前記プッシュバー後退ティップ７５４は前記スロット７２４に露出されている。
【０１８２】
前記第２ケース７２９の下部面にはプッシュバー後退防止ティップ７２５が形成されている。
【０１８３】
前記プッシュバー後退防止ティップ７２５は、前記スロット７２４と同一線上に設けられ、前記第１ケース７１９に近い側の前記スロット７２４部分に近接するように設けられる。
【０１８４】
前記プッシュバー後退防止ティップ７２５は、前記プッシュバーの第２歯７５２に結合され、前記格納容器の注入口７７５から前記第２排出口７７７側に移動する前記プッシュバー７５０の反対方向への移動を防止する。
【０１８５】
前記第２ケース７２９の上部面には前記プッシャー７４０が設けられる設置孔７２３が形成されている。
【０１８６】
前記プッシャー７４０は、前記設置孔７２３に設けられるプッシュボタン７４１、歯プッシャー７４２及びプッシャー解除ボタン７４５を含んで構成される。
【０１８７】
前記プッシュボタン７４１は前記設置孔７２３に設けられ、一端は固定ヒンジ７４３に結合され、他端は前記第２ケース７２９の上部面で所定の高さで傾斜するように突出している。
【０１８８】
したがって、前記第２ケース７２９の上部面に突出した前記プッシュボタン７４１は、前記固定ヒンジ７４３を軸にして上下に回転して前記設置孔７２３に挿入されたり突出する。
【０１８９】
前記歯プッシャー７４２は、前記プッシュボタン７４１と連結されて前記プッシュバー７５０を前記格納容器の注入口７７５から前記第２排出口７７７側に移動させる。
【０１９０】
前記歯プッシャー７４２の一端は前記プッシュボタン７４１の下部の中心部分と流動ヒンジ７４４により結合され、他端は前記プッシュバーの第１歯７５１に噛み合う。
【０１９１】
前記歯プッシャー７４２は、前記プッシュボタン７４１押さえる動作により前記歯プッシャー７４２の他端が前記第１歯７５１を押すことができるように、前記歯プッシャー７４２の他端と前記流動ヒンジ７４４及び固定ヒンジ７４３が“Ｖ”形態をなすように前記プッシュボタン７４１に連結設けられる。
【０１９２】
この際、前記第１歯７５１は、前記歯プッシャー７４２の押す動作により前記プッシュバー７５０が前記格納容器の注入口７７５から前記第２排出口７７７側の一方向に移動できるように一方向に歯が形成されている。
【０１９３】
したがって、前記プッシュボタン７４１を押さえることになれば、前記固定ヒンジ７４３を中心にして前記流動ヒンジ７４４が下に降りながら前記歯プッシャー７４２が前記第１歯７５１を前記格納容器の注入口７７５から前記第２排出口７７７側に押すことになる。
【０１９４】
そして、前記プッシュボタン７４１を放すことになれば、前記流動ヒンジ７４４部分が上昇しながら前記歯プッシャー７４２は押し出した前記第１歯７５１の位置から裏側へ移動して第１歯７５１にまた噛み合う。すなわち、前記歯プッシャー７４２が裏側へ移動する時は前記第１歯７５１と噛み合わないので、自然に裏側に後退することができる。
【０１９５】
前記プッシュ解除ボタン７４５は、前記プッシュボタン７４１の裏側に設けられて前記歯プッシャー７４２を前記プッシュバーの第１歯７５１から分離させる時に使われる。
【０１９６】
前記第１本体７１０と前記第２本体７２０の互いに対向する面の一側がヒンジ７８０により連結され、前記ヒンジ７８０が設けられた側の反対側に開閉器７９０が設けられる。
【０１９７】
したがって、前記開閉器７８０を作動させることになれば、前記第１本体７１０と前記第２本体７２０は前記ヒンジ７８０を軸にして両側に分離することができる。逆に、前記ヒンジ７８０を軸にして分離された前記第１本体７１０と前記第２本体７２０を互いに対向することができるように回転させて接触させれば、前記開閉器７９０により前記第１本体７１０と前記第２本体７２０が互いに結合される。
【０１９８】
第７実施形態では前記開閉器７９０としてボタン式開閉器を例示したが、これに限るのでなく、多様な変形例が可能であることは勿論である。
【０１９９】
このような第７実施形態に係る吐出装置７００を使用する方法に対して説明すれば次の通りである。
【０２００】
まず、前記第１本体７１０に前記ペースト物質７７１が内蔵された前記格納容器７７０を設ける方法を説明すれば、前記ヒンジ７８０を軸にして分離された前記第１本体７１０の格納空間７１６に前記格納容器７７０を挿入する。
【０２０１】
この際、前記プッシュバー７５０は前記第２本体の設置空間７２２内に位置する。
【０２０２】
次に、前記第１本体７１０と前記第２本体が互いに接するように畳むことになれば、前記開閉器７９０により前記第１本体７１０と前記第２本体７２０が互いに結合される。
【０２０３】
このように、前記格納容器７７０が内蔵された吐出装置７００を使用する方法を説明すれば、前記第１本体７１０に結合された前記キャップ７３０を剥がした状態で前記プッシャーのプッシュボタン７４１を押さえることになれば、前記プッシュバー７５０が前記ピストン７６０を前記格納容器の注入口７７５から前記第２排出口７７７側に押して前記格納容器７７０に受容された前記ペースト物質７７１が前記第２排出口７７７を通じて外に吐出される。
【０２０４】
このように使用して前記第１本体７１０の格納空間７１６に挿入された前記格納容器７７０に内蔵された前記ペースト物質７７１を多使用することになれば、新たな格納容器に交替しなければならない。
【０２０５】
前記第１本体７１０で多使用した格納容器７７０を分離し、新たな格納容器７７０に交替する方法を説明すれば、まず、前記第２本体７２０から前記第１分体７１０を分離しなければならないが、前記歯プッシャー７４２により移動した前記プッシュバー７５０が前記第２排出口７７７に近接するように前記格納容器７７０内に挿入されているため、このような状態では前記第２本体７２０から前記第１本体７１０を分離する場合、前記プッシュバー７５０が損傷されることができる。
【０２０６】
したがって、前記第２本体７２０から前記第１本体７１０を分離するためには、前記プッシュバー７５０を前記第２本体７２０内へ原位置させる必要がある。
【０２０７】
前記プッシュバー７５０を前記第２本体７２０内に原位置させるために、まず前記プッシュ解除ボタン７４５を押さえて前記プッシュバーの第１歯７５１に噛み合った前記歯プッシャー７４２を前記プッシュバー７５０から分離させる。
【０２０８】
次に、前記スロット７２４に沿って裏側に前記プッシュバー後退ティップ７５４を移動させることによって、前記プッシュバー７５０を前記第２本体７２０内に後退させて原位置させることができる。
【０２０９】
次に、前記開閉器７９０を開けば、前記ヒンジ７８０を軸にして前記第１本体７１０と前記第２本体７２０とを分離した後、前記第１本体７１０から多使用した前記格納容器７７０を分離する。
【０２１０】
最後に、前記第１本体７１０に新たな格納容器７７０を挿入し、前記第１本体７１０と前記第２本体７２０が互いに接することができるように畳むことになれば、前記開閉器７９０により前記第１本体７１０と前記第２本体７２０が互いに結合される。
【０２１１】
（第８実施形態）
一方、本発明の第１乃至第７実施形態に係る吐出装置において、ペース物質が吐出される部分に、図２２に開示するように、櫛８９０を結合して使用することができる。すなわち、吐出装置８００から櫛８９０にペース物質を直ちに吐出されるようにして使用することができ、前記ペースト物質は 染色剤、営養剤など、使用者の髪に使用する種々なるペースト物質を含むことができることは勿論である。
【０２１２】
図２２を参照すれば、第８実施形態に係る吐出装置８００は第７実施形態に係る第１本体７１０のキャップ結合部８１２に櫛８９０が結合された構造を有する。
【０２１３】
この際、第１本体のキャップ結合部８１２に結合された前記櫛８９０を除外した部分は第７実施形態に係る吐出装置と同一な構造を有するため、前記櫛８９０を中心にして説明する。
【０２１４】
前記櫛８９０は、前記キャップ結合部８１２に結合される結合部８９１と、結合部８９１と連結され、上部面に櫛歯８９３が形成された櫛歯胴体８９２を含み、前記櫛歯８９３間に形成されて前記格納容器８７０の第２排出口８７７を通じて排出されるペースト物質を外部に排出させる連結器排出口８９７を含む。
【０２１５】
前記櫛８９０には、前記結合部８９１と前記櫛歯胴体８９２の内部には前記第２排出口８７７と連通された主排出口８９４が形成されており、前記主排出口８９４に前記連結器排出口８９７が連結されている。
【０２１６】
前記連結器排出口８９７は前記第２排出口８７７と連結される前側から裏側へ行くほど徐々に大きく形成することが好ましい。このように形成した理由は、主排出口８９４内でのペースト物質の流動圧力が第２排出口８７７から遠ざかるほど落ちるため、連結器排出口８９７を通じて均一にペースト物質が排出できるようにするためである。
【０２１７】
そして、前記連結器排出口８９７の高さは櫛歯８９３よりは下方に形成することが好ましくて、例えば、ペースト物質が染色剤の場合、染色剤が直接頭皮に接触することが防止できるように、連結器排出口の高さは櫛歯高さの半程度に形成することが好ましい。
【０２１８】
一方、第８実施形態では、第１本体のキャップ結合部８１２に櫛８９０が結合された例を開示したが、ペースト物質を直ちに使用することができる連結器を連結する構成を有するならば本発明の技術的思想の範囲から外れるのではない。
【０２１９】
また、第８実施形態では、第７実施形態に係る第１本体のキャップ結合部８１２に櫛８９０が結合された例を開示したが、第１乃至第６実施形態に係る第１本体のキャップ結合部に櫛のような連結器が結合された構成で具現できることは勿論である。
【０２２０】
一方、本発明では結合器として櫛を利用した場合のみ記載したが、その以外に用途に合うように他の形態の結合器を結合させて使用できることは勿論である。
【０２２１】
以上、本発明の好ましい実施形態を参照にして本発明のペースト物質吐出装置に対して説明したが、本発明の趣旨から外れない範囲内で修正、変更及び多様な変形実施形態が可能であることは当業者に明白である。
【産業上の利用可能性】
【０２２２】
本発明のペースト物質吐出装置によれば、吐出装置は、第１本体に格納されたペースト物質を押し出すための駆動手段を第２本体に備えているので、ペースト物質を片手で容易に吐出させることができるペースト物質吐出装置を提供することになる。
【０２２３】
また、本発明の吐出装置は、第１本体に１つの排出口を有するキャップを備えることにより、２つ以上のペースト物質を混合して同時に吐出させることができることになる。
【０２２４】
また、本発明の吐出装置では、ペースト物質が消尽した際、第１本体の格納空間に直接的にペースト物質を再充填させて使用することでき、格納容器を交替して使用することができるところ、半永久的に使用することができるペースト物質吐出装置を提供することになる。
【０２２５】
また、格納容器を交替して使用する場合には、既存のペースト物質と新規ペースト物質が混合されないので、最初に使用したペースト物質と異なる種類のペースト物質を使用することができるところ、互いに異なる成分、香と味が加味された多様な種類のペースト物質を好みによって変えて使用できることになる。
【０２２６】
また、本発明の第７実施形態のように、特に格納容器が剛性の材質で形成され、部材が分離できる場合には、格納容器の内部洗浄が容易であるので、既存の格納容器に新たな物質を充填して使用する場合にも既存のペースト物質と混合されなくて使用することができるところ、半永久的で、かつ、好みに合うように交替可能なペースト物質吐出容器を提供することになる。
【０２２７】
また、本発明の第７実施例のように、プッシュバーの後退を防ぐプッシュバー後退防止ティップを更に含むことにより、キャップが開放されない場合などのように、吐出容器の吐出物質に内圧が形成された場合にもプッシュボタン操作時にプッシュバーが後退しない効果がある。
【０２２８】
また、第１ケースと第２ケースの一側をヒンジで連結し、反対側に第１ケースと第２ケースを開閉する開閉器及びプッシュバー後退ティップを含む構造で形成される場合、より容易にペースト物質が格納された格納容器を交替できることになる。
【０２２９】
また、吐出装置のペースト物質が排出される部分に連結器を結合して使用することができるので、単純にペースト物質を１種以上吐出させる役割だけでなく、結合器の形態によって多用途に活用可能なペースト物質吐出容器が提供できることになる。
【０２３０】
一方、連結器が本発明の第８実施形態のように、櫛形態で構成される場合には、櫛から１種以上の染色剤などが均一に混合吐出されるので、別途の染色剤混合工程と、染色剤を頭皮に塗布する工程なしに髪を梳ると共に、前記過程がなされる効果がある。
【０２３１】
また、連結器排出口が櫛の長手方向に多数個が形成されているので、ペースト吐出容器本体から吐出されるペースト物質の圧力が連結器排出口の位置によって異なるところ、結合部側の櫛歯胴体の一端部から前記櫛歯胴体の他端部に遠ざかるほど、その直径が大きく形成することにより、各々の前記連結器排出口からペースト物質が均一に排出できることになる効果があるので、染色などをする場合、使用者に梳りながら均一に混合された染色剤を髪に均一に塗布させることができる効果もあることになる。
【０２３２】
また、前記連結器排出口の高さは前記櫛歯の高さより低く形成されることによって、使用者の頭皮に直接的にペースト物質が接触しなくなり、塗布される髪の毛中心に染色剤が塗布されるので使用者の頭皮健康などにも好ましい吐出容器を提供することになる。
【図面の簡単な説明】
【０２３３】
【図１】本発明の好ましい第１実施形態に係るペースト物質吐出装置の概略的な分解斜視図である。
【図２】Ａ−Ａ線に沿って得られた図１の吐出装置の第１本体の内部断面図である。
【図３】Ｂ−Ｂ線に沿って得られた図１の吐出壮紙の第２本体の内部断面図である。
【図４】図１の吐出装置を作動するための作動構造物を示す概略的な斜視図である。
【図５】本発明の好ましい第２実施に係るペースト物質吐出装置の概略的な分解斜視図である。
【図６】Ｂ−Ｂ線に沿って得られた図５の吐出装置の第２本体の内部断面図である。
【図７】図５の吐出装置を作動するための作動区造物を示す概略的な斜視図である。
【図８】図５の吐出装置の作動の可否を決定する作動ボタンを示す概略的な断面図である。
【図９】本発明の好ましい第３実施形態に係るペースト物質吐出装置の概略的な分解斜視図である。
【図１０】Ｂ−Ｂ線に沿って得られた図９の吐出装置の第２本体の内部断面図である。
【図１１】図９の吐出装置を作動するための作動構造物を示す概略的な斜視図である。
【図１２】本発明の好ましい第４実施形態に係るペースト物質吐出装置の概略的な分解斜視図である。
【図１３】Ａ−Ａ線に沿って得られた図１２の吐出装置の第１本体の内部断面図である。
【図１４】本発明の吐出装置の第１本体と第２本体の結合構造の変形例を示す図である。
【図１５】本発明の吐出装置の第１本体と第２本体の結合構造の他の変形例を示す図である。
【図１６】本発明の吐出装置のプッシュバーの多様な断面を示す図である。
【図１７】本発明の吐出装置のプッシュバーに形成される多様な形態の値を示す図である。
【図１８】本発明の好ましい第７実施形態に係るペースト物質吐出装置の斜視図である。
【図１９】図１８の吐出装置の背面図である。
【図２０】図１８の格納容器の分解斜視図である。
【図２１】Ｃ−Ｃ線に沿って得られた図１８の吐出装置の断面図である。
【図２２】本発明の好ましい第８実施形態に係るペースト物質吐出装置の斜視図である。
【図２３】従来のペースト物質吐出容器を示す概略的な断面図である。
【符号の説明】
【０２３４】
１００、２００、３００、４００、７００    吐出装置
１１０、２１０、３１０、４１０、７１０    第１本体
１１１、２１１、３１１、４１１            マージング部
１１２、２１２、３１２、４１２、７１２    キャップ結合部
１１３、２１３、３１３、４１３、７７７    第２排出口
１１４、２１４、３１４、４１４            第２結合突起
１１５、７７５                            注入口
１１６、４１６、７１６                    格納空間
１１７、７１７                            第１排出口
１１８、４１８                            排出通路
１２０、２２０、３２０、４２０、７２０    第２本体
１２１、２２１、３２１                    プッシュバー挿入ホール
１２２                                    回転輪装着ホール
１２３、２２３、３２３、４２３            第２結合溝
１２４                                    回転軸挿入溝
１３０、２３０、３３０、４３０、７３０    キャップ
１３１、２３１、３３１、４３１            第３排出口
１３２、２３２、３３２、４３２            栓
１４０                                    回転輪
１４０ａ                                  滑り防止突起
１４２、３４２                            回転軸
１５０、２５０、３５０、７５０            プッシュバー
１６０、２６０、３６０、７６０            ピストン
２２４            第１回転軸挿入ホール
２２５            第２回転軸挿入ホール
２４０            作動ボタン
２４２            第１回転軸
２４４            第２回転軸
２４６            駆動モータ
２４７            スプリング
２４８ａ          第１金属板
２４８ｂ          第２金属板
３２２            プッシュボタン装着ホール
３４０、７４１    プッシュボタン
３４４            歯係止突起
【図１】
2007528326.tif 000003
【図２】
2007528326.tif 000004
【図３】
2007528326.tif 000005
【図４】
2007528326.tif 000006
【図５】
2007528326.tif 000007
【図６】
2007528326.tif 000008
【図７】
2007528326.tif 000009
【図８】
2007528326.tif 000010
【図９】
2007528326.tif 000011
【図１０】
2007528326.tif 000012
【図１１】
2007528326.tif 000013
【図１２】
2007528326.tif 000014
【図１３】
2007528326.tif 000015
【図１４】
2007528326.tif 000016
【図１５】
2007528326.tif 000017
【図１６】
2007528326.tif 000018
【図１７】
2007528326.tif 000019
【図１８】
2007528326.tif 000020
【図１９】
2007528326.tif 000021
【図２０】
2007528326.tif 000022
【図２１】
2007528326.tif 000023
【図２２】
2007528326.tif 000024
【図２３】
2007528326.tif 000025
【国際調査報告】
2007528326.tif 000026
2007528326.tif 000027